(57)【要約】      （修正有）【課題】コーンと仕切り柵テープそれぞれの素材と使用特徴を生かし、連結の一体化を単純・簡潔にでき、消耗品となるコーンとコーンバーを削減する方法を提供する。【解決手段】コーン用のテープ取付け具は、構成する弾性部材を一体成型することにより形成された完成品であり、製造工程が簡素化できコスト的に有利なものとなる。そして、手段の最大の特徴は今あるコーンと仕切り柵テープその他布・紙テープの現物をそのまま有効に利用できる発想から、それぞれの素材と使用特徴を生かすために、単純が一番を基本に考え出されたコーン用のテープ取付け具は利用者のランニングコストまで有利なものにつながり、柵を作る際のコーンの減少とコーンバーが無用となり設置作業の簡素化と消耗品となり得るコーンとコーンバーの減少になりコスト削減及び設置作業と回収作業の簡素化につながりエコにも貢献できる。【選択図】図１
2014009459.tif 000002
【特許請求の範囲】
【請求項１】
コーンに設けられた係止可能なリング状からなる係止部と、前記係止部に設けられらた隣接する二本以上の柱状体と、前記柱状体でテープを峡持することを特徴とするコーン用のテープ取付け具。
【請求項２】
前記柱部は、柱同士で挟持する隣接面に凹凸を設けることを特徴する請求項１記載のコーン用のテープ取付け具。
【請求項３】
前記柱部は、柱の少なくとも一つが他より長身であることを特徴する請求項１又は２記載のコーン用のテープ取付け具。
【請求項４】
弾性部材からなることを特徴とする請求項１から３のいずれか1項に記載のコーン用のテープ取付け具。
【発明の詳細な説明】
【技術分野】
【０００１】
本発明は、コーンを有効に使うテープ取付け具。
【背景技術】
【０００２】
カラーコーン(登録商標）で販売されている道路や工事現場などの規制や区分けを目的として置かれる円錐形の物は、だれしもが使用を目撃し用途も理解していると思われる。コーンを２つ３つと等間隔で並べれば柵のように使えるので運動会・運動クラブなどではよく目にする。しかし1個分のコーンは軽いがまとまればかなりの重量となるためコーンを使った柵は、コーンバー（黄と黒しまのトラ柄安全バー）をコーンとコーンの連結に使いコーンの使用数を減らしている。さらに現実に使っている建築工事現場・イベント会場などのコーンバーとコーンを身近に観察すると、コーンに連結する部位（輪）か壊れていたりコーンバーが変形・破損したりと長期間の使用または取り扱いの不注意で取り換えなければならない、またコーンバーの代わりとしてトラロープ（黄色と黒のしま柄）を使うために、コーンの上部にトラロープを通すための貫通穴を設けて柵として使っているが、貫通穴を設けたためにコーンの強度が弱まり破損しているコーンがいくつも見かけた。そしてコーンバーは一定の範囲（約１．５〜２．０ｍ）の長さで構成されているので長い柵を作る際コーンバーの数が大量となり設置作業を行う場合とその後の回収作業に大変苦労している。
特開２００４‐１６９４２４号に係る「柵テープ用支持具及びこの柵テープ用支持具が固定されたコーン」は、コーンバーの数を減らすために有効であり、コーンの上端側外周面に柵テープ用支持具が固定されていて、柵テープを直線で使用する際は確かにかさ張らないうえにコーンの面に合わせた斜め上向きの角度で柵テープの印刷文字も視認させることができる。
特開平１１−３３６０３３号に係る「仕切用テープとその製造方法等、及び仕切用テープを備えた区画装置」は、従来からあるコーンとコーンを連結するコーンバーの代わる部材としては、仕切用テープを備えた区画装置用コーン部材が必要となるが仕切り目的及び広告等を表示して柵を作るなら有効に使えるところもある。
【先行技術文献】
【特許文献】
【０００３】
【特許文献１】特開２００４‐１６９４２４号
【特許文献２】特開平１１−３３６０３３号
【発明の概要】
【発明が解決しようとする課題】
【０００４】
このように、特許文献１「柵テープ用支持具及びこの柵テープ用支持具が固定されたコーン」は、一見使い勝手の便利なようだが、柵テープを使用するためには新たに柵テープ用支持具が固定されたコーンを購入しないといけないわけで、今あるコーンを有効に生かせない。また直線として使用できても直角に曲げてコーンを並べた場合、柵テープが斜め上向きの角度でコーン面に接着しているので幅のある柵テープは、コーンを中心に曲げた時、柵テープは地面に対して平行にならないので使えない。そして柵テープ用支持具が固定されたコーンはネジを止めて使用しているために、教育現場（運動場・体育館）・工事現場で使用中にネジが落下して児童がケガする場合も、また路上で自転車のパンク等が考えられる。特許文献１の「柵テープ用支持具及びこの柵テープ用支持具が固定されたコーン」は、一時的な利用の際は有効な面があるが安全を第一に考えた場合は不安が残る。
特許文献２「仕切用テープとその製造方法等、及び仕切用テープを備えた区画装置」は、特許文献１と同じでテープで仕切柵を作る場合に新たに仕切用テープを備えた区画装置用コーン部材を購入しなければならない。さらにポリエチレン製である仕切用テープは両面に趣旨・広告が印刷される際に熱と圧が掛かるために、コーン部材に仕切用テープを装着する時は管状に形成された開口部を広げなければならない、特許文献２は任意の形状で仕切れるとあるが一定間隔で文字が繰り返し表示されその間に一定間隔で開口部が設けられているため一定の間隔でしか区画は仕切れないのである。
本発明は、今あるコーンを有効に使うためのコーンバーに代わる仕切り柵テープを、コーンに単純・簡潔に連結できるコーン用のテープ取付け具を提供することである。なお、以後の本発明においては仕切り柵テープその他のリボンテープ、布・紙テープをテープと記す。
【課題を解決するための手段】
【０００５】
本発明は、現在使用されているコーン（K）とテープ（T1・T2）を現状のままの特徴を生かして単純・簡潔に連結ができるためのコーン用のテープ取付け具（1）である。本発明の図１は弾性部材（ゴム又は可撓性を有する合成樹脂等で、曲って復元性を有する物質であれば何でもよい）を一体成型することにより形成された完成品で本体以外の後付等の結合部品は全くなくコーンに係止可能なリング状からなる係止部と、テープを峡持することができる互いに隣接立設・密着した多角柱部とからなるコーン用のテープ取付け具（1）であり、本体に物が当たり衝撃を受けても柔軟性があるため壊れにくく現状を保つことが可能である。また、コーン用のテープ取付け具（1）の一カ所にあらかじめ互いに隣接立設・密着して垂直に支持される二本以上の多角柱か円柱・半円柱または柱（図５・図６・図７）を備え、前記コーン用のテープ取付け具（1）及び二本以上の前記多角柱か円柱・半円柱または柱はゴム状弾性部材を一体成型することにより形成され、配置された多角柱の側面がそれぞれ他の多角柱の１つの側面に密着するように配置されたことを特徴とするコーン用のテープ取付け具（1）は、テープ（T1・T2）を容易に挟持・設置ができてさらに簡潔に連結できるコーン用のテープ取付け具（1）である。
【発明の効果】
【０００６】
本発明は、本体以外の後付等の結合部品は全くなくコーンに係止可能なリング状からなる係止部と、テープを峡持することができる柱二本以上の柱状体を互いに隣接立設・密着した円柱・半円柱・多角柱部（図１・図５・図６・図７）とからなるので容易に挟持・設置ができるコーン用のテープ取付け具（1）である。
【０００７】
本発明は、挟持機能を高めるために柱の挟持する側の密着する面に凹凸（5）を設けたので密着度が増す、コーン用のテープ取付け具（1）である。
【０００８】
本発明の、コーン用のテープ取付け具は連結のテープ取付け具本体（1）にあらかじめ互いに隣接立設・密着して垂直に支持結合された二本の柱（図６・図７）の場合は一方が長身であり、さらに設置挟持機能に最も適した形の柱と本数は多角柱＝三角柱（面取り柱）三本の場合であり、三本（3）の中央柱（3B）の三角柱を両外側の三角柱（3A）（3C）よりも高く長身であることでテープ幅に関係なく容易に挟持できる、コーン用のテープ取付け具（1）である。
【０００９】
本発明は、ゴム状弾性部材（ゴム又は可撓性を有する合成樹脂等で、曲って復元性を有する物質であれば何でもよい）でなる完成品でテープ（T1・T2）を単純・簡潔に連結ができ、コーン（K）の間隔も使用現場・会場に合わせて任意で仕切ることができるためコーン（K）の削減につながり設置作業と回収作業の簡素化ができてエコにもつながる、コーン用のテープ取付け具（1）である。
【００１０】
本発明は、テープ（T1・T2）を単純・簡潔に設置するためにゴム状弾性部材の特徴を生かした隣接立設・密着等の構成にすることでテープ（T1・T2）のズレ・落下防止となる。テープを確実に素早く設置するために挟む機能を考慮した場合、多角柱（面取り柱）二本以上でなり面と面が密着する挟持機能を最大に生かせる、コーン用のテープ取付け具（1）である。
【００１１】
本発明は、テープ（T1・T2）の連結最後の端を固定する場合、あらかじめ垂直に支持結合されたた多角柱＝三角柱（面取り柱）三本（3）の（3A）と（3B）間を通してさらに（3B）と（3C）の間を通して三角柱（3C）に表側に巻いて手前に戻し（3B）と（3A）の間を通すことでテープ（T2）が容易に（図４）固定（4）できる、コーン用のテープ取付け具（1）である。
【図面の簡単な説明】
【００１２】
【図１】テープ取付け具本体にテープを設置した斜視図
【図２】テープ取付け具本体の平面図
【図３】テープ取付け具本体の正面図
【図４】三角柱の三本にテープを固定設置時の斜視図
【図５】テープ取付け具本体に多角柱及び円柱を支持結合した斜視図
【図６】テープ取付け具本体に半円柱の二本に支持結合した斜視図
【図７】テープ取付け具本体に四角柱の二本に支持結合した斜視図
【図８】三角柱三本の長身柱を傾けたテープ設置前の斜視図
【図９】三角柱の三本にテープを設置した斜視図
【発明を実施するための形態】
【実施例】
【００１３】
本発明は、本体以外の後付等の結合部品は全くなくコーンに係止可能なリング状からなる係止部と、テープを峡持することができる柱二本以上の柱状体を互いに隣接立設・密着した円柱・半円柱・多角柱部（図１・図５・図６・図７）とからなるコーン用のテープ取付け具（1）である。
【００１４】
本発明は、設置挟持機能を高めるために円柱・半円柱・多角柱部の各柱の挟持する側の密着する面に凹凸（5）を設けた、コーン用のテープ取付け具（1）である。
【００１５】
本発明の、コーン用のテープ取付け具は連結のテープ取付け具本体（1）にあらかじめ互いに隣接立設・密着して垂直に支持結合された二本の柱（図６・図７）の場合に一方が長身であり、さらに設置挟持機能に最も適した形の柱と本数は多角柱＝三角柱（面取り柱）三本の場合であり、三本（3）の中央柱（3B）の三角柱を両外側の三角柱（3A）（3C）よりも高く長身であることが望ましい、コーン用のテープ取付け具（1）である。
【００１６】
本発明は、ゴム状弾性部材（ゴム又は可撓性を有する合成樹脂等で、曲って復元性を有する物質であれば何でもよい）でなる完成品でテープ（T1・T2）を単純・簡潔に連結ができ、コーン（K）の間隔も使用現場・会場に合わせて任意で仕切ることができることからコーン（K）の削減につながり設置作業と回収作業の簡素化ができてエコにもつながる、コーン用のテープ取付け具（1）である。
【００１７】
本発明は、図１に示すようにゴム状弾性部材で一体成型することにより形成され、本
体以外の後付等の結合部品は全くなくコーンに係止可能なリング状からなる係止部と、テープを峡持することができる柱二本以上が互いに隣接立設・密着した円柱・多角柱部（図１・図５・図６・図７）とからなるコーン用のテープ取付け具（1）であり本体に物が当たり衝撃を受けても柔軟性があるので壊れにくく現状を保つことが可能な、コーン用のテープ取付け具（1）である。
【００１８】
本発明は、コーン用のテープ取付け具（1）に支持結合された垂直の円柱・半円柱または多角型柱の二本以上の結合部分は補強のために、テープ取付け具のリング（1）の円柱ではなく本体と同じゴム状弾性部材の四角柱（2）で補強結合からなる、コーン用のテープ取付け具（1）である。
【００１９】
本発明は、ゴム状弾性部材で柔軟性があり加工が容易であるコーン用のテープ取付け具本体（1）は、テープ（T1・T2）を確実に素早く設置するための挟む機能を考慮した場合、円柱・半円柱または多角型柱（面取り柱）二本以上で面と面が密着する挟持機能を最大に生かせる柱型は円柱・半円柱または多角型柱の中で図１・図８・図９の三角柱三本（3）が最も適した形であのが、コーン用のテープ取付け具（1）である。
【００２０】
本発明は、コーン用のテープ取付け具本体（1）の一カ所にあらかじめ隣接立設・密着して垂直に支持結合された三角柱（面取り柱）三本（3）を設け中央（3B）に配置された三角柱の２つの側面がそれぞれ他の三角柱（3A）（3C）の１つの側面に密着するように配置されたことを特徴とするもので、テープ（T1・T2）を単純に挟持・設置ができて簡潔に連結が可能となる最適な形を提供する、コーン用のテープ取付け具（1）である。
【００２１】
本発明の、図１のテープ（T1）は図２のテープ（T2）よりテープ幅が異なり幅広であるが、あらかじめ垂直に支持結合された二本の柱（図６・図７）の場合に一方を長身にして、また三角柱三本（3）の場合は中央の三角柱（3B）を両側の三角柱（3A）（3C）よりも高く長身にすることで、テープ（T1・T2）の異なる幅に関係なく長身の三角柱（3B）を後ろに傾ける（図１・C）（図８）だけで挟みやすくなり単純に設置できる結果、従来の課題が解決でき簡潔に（図９）連結が可能なコーン用のテープ取付け具（1）である。  
【００２２】
本発明は、テープ（T1・T2）の連結最後の端を垂直に支持結合されたた三角柱（面取り柱）三本（3）の（3A）と（3B）の間を通してさらに（3B）と（3C）の間を通して外側三角柱（3C）に表側に巻いて手前に戻し（3A）と（3B）の間を通すことでテープ（T2）が容易に固定（4）された例が図４のテープ（T2）の斜視図。
【産業上の利用可能性】
【００２３】
現状はコーンを使用する際、今あるコーンをコーンバーで連結し柵として有効に使われていて、特許文献のような新しい柵として実際に使用できる発明はまだ無いようである。この様に、今あるコーンはコーンバーと一対として使われているのが現実で長い柵を作る際にコーンバーの数が大量となり、設置作業を行う場合とその後の回収作業に人手と時間の経費等で大変苦労している現状がある。本発明は柵を作る際のコーンの減少とコーンバーが無用となり設置作業の簡素化となり、消耗品となり得るコーンとコーンバーの減少につながり経費削減からエコにも貢献できる。
【符号の説明】
【００２４】
１     コーン用のテープ取付け具本体
２     付け具本体と多角柱の結合部
３     三本の三角柱の高さの違い
３A    外側の三角柱
３B    中央の三角柱
３C    外側の三角柱
４     テープの端を折り返し重ねた部分
５     凹凸
Ｃ     中央の柱を後ろに傾けた状態
Ｔ1    幅広のテープ
Ｔ2    通常幅のテープ
Ｋ     コーン
【図１】
2014009459.tif 000003
【図２】
2014009459.tif 000004
【図３】
2014009459.tif 000005
【図４】
2014009459.tif 000006
【図５】
2014009459.tif 000007
【図６】
2014009459.tif 000008
【図７】
2014009459.tif 000009
【図８】
2014009459.tif 000010
【図９】
2014009459.tif 000011
【手続補正書】
【提出日】平成24年11月7日(2012.11.7)
【手続補正１】
【補正対象書類名】特許請求の範囲
【補正対象項目名】全文
【補正方法】変更
【補正の内容】
【特許請求の範囲】
【請求項１】
コーンに設けられた係止可能なリング状からなる係止部と、前記係止部に設けられた互いに密着隣接する三本以上の柱状体と、前記柱状体の面と面でテープを挟持することを特徴とするコーン用のテープ取付け具。
【請求項２】
前記柱状体は、柱同士で挟持する隣接面に凹凸を設けることを特徴する請求項１記載のコーン用のテープ取付け具。
【請求項３】
前記柱状体は、柱の少なくとも一つが他より長身であることを特徴する請求項１又は２記載のコーン用のテープ取付け具。
【請求項４】
弾性部材からなることを特徴とする請求項１から３のいずれか1項に記載のコーン用のテープ取付け具。